(57)【要約】【課題】所定の携帯品に取り付けることで常にはストラップとして使用出来、必要に応じて具備する鍵を利用可能とする鍵具有ストラップを提供する。【解決手段】所定の携帯品（携帯電話）に対して鍵具有ストラップを取り付けるための環状紐部材からなる係止紐１と、この係止紐１の両端部を固定する連結部材２と、この連結部材２に接続され内部に鍵Ｋの全体を充分に格納保護可能な鍵収納中空部３ａ、３ｂを有し一本あるいは複数本の鍵Ｋを着脱可能に、あるいは鍵Ｋの把持部を支持し鍵Ｋの挿入部を突出可能とする収納ストラップ３と、を備えて構成する。【選択図】　　図２
2004019148.tif 000002
【特許請求の範囲】
【請求項１】
所定の携帯品に取り付け、常にはストラップとして使用可能で、必要に応じて具備する鍵を利用可能とした鍵具有ストラップであり、この鍵具有ストラップを、鍵と、この鍵を収納するための鍵保持ストラップと、により構成し、
前記鍵は、
挿入部と、挿入部と一体に形成される把持部と、からなり、前記把持部を挿入部と略同幅となるように構成し、
前記鍵保持ストラップは、
鍵具有ストラップを所定の携帯品に取り付けるため環状の紐部材からなる係止紐と、
前記係止紐が環状となるように、この係止紐の両端部をそれぞれ固定する連結部材と、
前記係止紐と対向するよう前記連結部材に接続され、内部に前記鍵の全体を充分に格納可能な長手状の鍵収納中空部を有し、一本あるいは複数本の鍵を着脱可能に、あるいは鍵の把持部を支持し挿入部を突出可能とする収納ストラップと、
を備えて構成し、
鍵の必要時には鍵保持ストラップ内から鍵を取り出して使用するようにしたことを特徴とする鍵具有ストラップ。
【請求項２】
所定の携帯品に取り付け、常にはストラップとして使用可能で、必要に応じて具備する鍵を利用可能とした鍵具有ストラップであり、この鍵具有ストラップを、鍵と、この鍵を収納するための鍵保持体と、この鍵保持体を支持するストラップ手段と、により構成し、
前記鍵は、
挿入部と、挿入部と一体に形成される把持部と、からなり、前記把持部を挿入部と略同幅となるように構成し、
前記ストラップ手段は、
鍵具有ストラップを所定の携帯品に取り付けるため環状の紐部材からなる係止紐と、
前記係止紐が環状となるように、この係止紐の両端部をそれぞれ固定する連結部材と、
前記係止紐と対向するよう前記連結部材に、あるいは前記鍵保持体を介して連結部材に対して接続されるストラップと、
を備えて構成し、
前記鍵保持体は、
前記連結部材に、あるいは前記ストラップの先端部に、所定の連結手段を介して接続され、内部に前記鍵の全体を充分に格納可能な長手状の鍵収納中空部を有し、一本あるいは複数本の鍵を着脱可能に、あるいは鍵の把持部を支持し挿入部を突出可能に構成し、
鍵の必要時には鍵保持体内から鍵を取り出して使用するようにしたことを特徴とする鍵具有ストラップ。
【請求項３】
前記一本あるいは複数本の鍵は、可撓性材により構成したことを特徴とする請求項１または２いずれか記載の鍵具有ストラップ。
【発明の詳細な説明】
【０００１】
【発明の属する技術分野】
この発明は、鍵を備えてなるストラップに関し、詳しくは所定の携帯品に取り付けることで常にはストラップとして使用出来、必要に応じて具備した鍵を利用可能とした鍵具有ストラップに関するものである。
【０００２】
【発明の背景】
日常生活を送る上で、「鍵」は財布等と同様に、出かける際には常に所持する必要がある貴重な携帯品の一つである。そしてこの鍵は、「自宅の鍵」、「自動車の鍵」、「職場の鍵」等さまざまであり、いずれも窃盗等の事件を防止する上で重要な役割を担っている。
【０００３】
しかしながら鍵は所持するにあたり煩わしさを感じることがある。すなわち鍵は、全長が６ｃｍから７ｃｍ程のものが多く、更になんら可撓性のない強固な金属によって板状に形成されているので、この鍵を例えばズボン等のポケットに入れて歩行すると身体に違和感をおぼえる。また、特におしゃれを気にかける女性では、ズボンやスカート等の衣服の一部のみが鍵によって不自然に膨らむことを敬遠する人が多い。
【０００４】
また、鍵をバック等に入れて所持することもあるが、こうした場合には必要時に鍵がバック内の他の所持品によって隠される、あるいは鍵がバックの底まで落下していて容易に見つけられず、バック内をしばらく詮索せざるを得ない等の不都合が生じる。こうした不都合は、時間がなく急いでいる際には苛立ちを感じるものとなる。
【０００５】
一方、上述の鍵所持における不都合とは別に、鍵の持ち忘れによって問題が生じる事も多く聞かれる。例えば、マンション・団地等の集合住宅において、多くの荷物とともに駐車場まで移動し、自動車前で自動車の鍵を忘れた事にようやく気づき、再び自宅へと引き返さざるを得ない事態となる不都合は日常多く経験することである。
【０００６】
また、自動車の鍵で特に問題となるのは、出先での駐車時に自動車内に鍵を残したままドアをロックしてしまう、いわゆる「閉じ込み」を行ってしまった場合である。この「閉じ込み」を行ってしまうと、「自動車に傷を残す」、「専門業者に手数料を支払う」、「約束の時間に遅れる」等の種々の重大な問題を誘発する看過出来ない事態となる。
【０００７】
このため、この「閉じ込み」によって狼狽することがないよう、自動車の所定箇所にスペアキーを隠しておく対策が考えられ、磁石を備えたスペアキー専用の保持用具も提供されている。しかしながら、自動車にスペアキーを隠しておくことは、自動車の盗難等の更なる重大な事件を誘発する虞があり、安易に実行出来ないのが現状である。
【０００８】
ところで、上述の種々の問題を解決するために、外出時に常に持ち歩く携帯品、例えば携帯電話や財布に対して鍵を取り付けておく事が考えられる。こうした鍵の保持用具として、特開２００１−４６１３５号に開示される技術が提案されている。この発明に係る技術は、ストラップの先端部に鍵の把持部を支持するための袋状部材を設け、鍵の挿入部を露出させた状態でストラップとともに鍵を携帯品に垂下保持するよう構成したものである。
【０００９】
しかしながら、この公報に開示されているように所定の携帯品に鍵を具備させるには次に挙げる種々の問題がある。
すなわち、今日の携帯電話や財布等の携帯品は、いずれも性能や利便性よりもファッションを重視したものとなっており、多くの若者や女性は携帯品を選択する上でデザインやブランド、そして色彩等を充分に考慮し、流行の変化に応じた高価で華やかな携帯品を好んで購入している。
これに反して「鍵」は、その本来の目的、すなわち「盗難」や「覗き」等の犯罪を防止する目的からなんらファッション性を有するものではない、換言すれば鍵は機械の一部品を構成するあじけない金属部品に過ぎず、流行が変化してもその形状が変わるものではない。
【００１０】
このため、所定の携帯品に対して「鍵」を保持させておくことが便利であることに気づいても携帯品に鍵を保持させることは稀有なことであり、上述の技術においても鍵の挿入部が露出した状態となっているのでこの美観性の問題はなんら解決されてはいない。
【００１１】
一方、上述の問題とは別に、鍵は強固な金属によって先端が鋭利に形成されているので、不用意に鍵を携帯品に垂下するよう保持させておくことは非常に危険である。例えば、鍵を保持した携帯品を胸ポケット等に入れておいた場合において、満員電車内や混雑する会場の出入口等で強く身体を押される、あるいは歩行時に転倒した際、鍵の先端が身体方向へ向いると鍵は凶器となり身体に重大な損傷を与える虞があり、喚起すべき事である。
【００１２】
【課題を解決するための手段】
この発明に係る鍵具有ストラップは、所定の携帯品に取り付け、常にはストラップとして使用可能で、必要に応じて保護格納する鍵を利用可能にすることによって上記従来の課題を解決しようとするものであり、この鍵具有ストラップを、鍵と、この鍵を収納するための鍵保持ストラップと、により構成する。
そして前記鍵は、挿入部と、挿入部と一体に形成される把持部と、からなり、前記把持部を挿入部と略同幅となるように構成する。
また、前記鍵保持ストラップは、鍵具有ストラップを所定の携帯品に取り付けるため環状の紐部材からなる係止紐と、前記係止紐が環状となるように、この係止紐の両端部をそれぞれ固定する連結部材と、前記係止紐と対向するよう前記連結部材に接続され、内部に前記鍵の全体を充分に格納可能な長手状の鍵収納中空部を有し、一本あるいは複数本の鍵を着脱可能に、あるいは鍵の把持部を支持し挿入部を突出可能とする収納ストラップと、を備えて構成する。
そして、鍵の必要時には鍵保持ストラップ内から鍵を取り出して使用するようにする。
【００１３】
一方、鍵具有ストラップを、鍵と、この鍵を収納するための鍵保持体と、この鍵保持体を支持するストラップ手段と、により構成する。
そして前記鍵は、挿入部と、挿入部と一体に形成される把持部と、からなり、前記把持部を挿入部と略同幅となるように構成する。
また、前記ストラップ手段は、鍵具有ストラップを所定の携帯品に取り付けるため環状の紐部材からなる係止紐と、前記係止紐が環状となるように、この係止紐の両端部をそれぞれ固定する連結部材と、前記係止紐と対向するよう前記連結部材に、あるいは前記鍵保持体を介して連結部材に対して接続されるストラップと、を備えて構成する。
そして、前記鍵保持体は、前記連結部材に、あるいは前記ストラップの先端部に、所定の連結手段を介して接続され、内部に前記鍵の全体を充分に格納可能な長手状の鍵収納中空部を有し、一本あるいは複数本の鍵を着脱可能に、あるいは鍵の把持部を支持し挿入部を突出可能に構成する。
これによって、鍵の必要時には鍵保持体内から鍵を取り出して使用可能とすることで上記従来の問題を解決しようとするものである。
【００１４】
また、前記一本あるいは複数本の鍵は、可撓性材により構成するようにして、より高い安全性を確保しようとするものである。
【００１５】
【発明の実施の形態】
図面に基づいてこの発明の実施の形態を説明する。図１はこの発明の請求の範囲第１項に係る鍵具有ストラップの一実施形態を示す外観斜視図であり、図２は図１に示した鍵具有ストラップを開状態にした際の外観斜視図である。
【００１６】
図１は携帯電話に取り付けられた鍵具有ストラップを示す図である。この発明に係る鍵具有ストラップは、図に示すように所定の携帯品に取り付けて使用するものであり、図面においては携帯品として携帯電話を例に示す。
【００１７】
鍵具有ストラップは、鍵Ｋと、この鍵Ｋを収納可能な鍵保持ストラップ４と、から構成されている。そして、鍵保持ストラップ４は、係止紐１と、連結部材２と、収納ストラップ３と、を備えて構成されている。
【００１８】
前記係止紐１は、鍵具有ストラップを携帯品に取り付けるための環状の紐状部材（図２参照）からなっている。この係止紐１によって鍵具有ストラップを携帯品に取り付けるには、携帯品に設けられたストラップ取り付け孔に係止紐１を通し、その環状の係止紐１内に後述の連結部２および収納ストラップ３を通過させることによって図１に示すように携帯品に鍵具有ストラップを取り付けることが出来る。
【００１９】
また、連結部材２は、前記係止紐１が図２に示すよう環状となるように係止紐１の両先端部をそれぞれ固定しており、この例において連結部材２は円柱状の部材によって形成されている。
【００２０】
一方、収納ストラップ３は、前記係止紐１と対向するように前記連結部材２に所定の連結具を介して連結されている。そしてこの収納ストラップ３は、例えば、ゴム、動物の皮、あるいは樹脂材等の可撓性材によって帯状に形成され、常にはこの帯状の部材の中央部を折り返して図１に示すように環状にした状態で使用するものである。
なお、この収納ストラップ３は、両端部近傍に設けられたボタン手段６によって必要に応じて図２に示すように開状態にすることが可能である。
【００２１】
また、この収納ストラップ３は、内部に鍵Ｋを収納可能な鍵収納中空部を有している。すいる。この例において収納ストラップ３は、図２に示すように中央の折り返し部を境にして内側の両部に一対の長手ポケット状の鍵収納中空部３ａ、３ｂを備えなわち、この収納ストラップ３は、２本の鍵Ｋを保持することが可能となっている。て
【００２２】
そして、これら各鍵収納中空部３ａ、３ｂはそれぞれ鍵Ｋの長さと略同じ長さに形成されていて、図２に示すように鍵Ｋの頭部を僅かに突出した状態、すなわち鍵Ｋを引き出し易い状態で鍵Ｋを保持可能となっている。なお、収納ストラップ３を閉状態にした際、図１に示すように鍵Ｋは折り返された収納ストラップ３によって収納ストラップ３内に露出することなく完全に格納保護される。
【００２３】
また、この格納時において各鍵収納中空部３ａ、３ｂの内側面は鍵Ｋの裏表面に密着し、歩行時においても鍵Ｋが揺動することがないよう、しっかりと鍵Ｋを支持することが出来るようになっている。
【００２４】
一方、鍵Ｋは、所定の鍵穴に差し込む挿入部Ｋ１と、この挿入部Ｋ１と一体に形成される把持部Ｋ２と、からなり、図２に示すように把持部Ｋ２は挿入部Ｋ１と略同幅となるように形成されている。これによって、鍵Ｋは前記収納ストラップ３の鍵収納中空部３ａ、３ｂに容易に出し入れ自在である。
【００２５】
以上の構成からなる鍵具有ストラップは、所定の携帯品に取り付けておくことによって、常には通常のストラップと同様に使用することが可能である。すなわち、ポケットやバックに入れられた携帯品（携帯電話）を取り出す際には、収納ストラップ３を持ってこれを引き上げることによって容易かつ迅速に携帯品を取り出すことが出来る。また、環状の収納ストラップ３内に手首を通して携帯品を保持することも可能である。
【００２６】
一方、鍵が必要となった際には、収納ストラップ３を図２に示すように開き、鍵収納中空部より目的の鍵Ｋを取り出して使用すれば良い。これによって、鍵の持ち忘れを防止可能であり、この鍵Ｋをスペアキーとして使用する場合には、自動車の「鍵の閉じ込み」時においてもなんら狼狽することはない。
【００２７】
そして、鍵Ｋは収納ストラップ３によって完全に隠されているので、ファッションを気にかける者であってもなんら抵抗なく利用可能である。
【００２８】
一方、鍵Ｋは収納ストラップ３によって完全に保護格納されているので、満員電車内等で鍵具有ストラップが身体に強く押し付けられても、また歩行時に転倒した場合であっても、鍵Ｋが身体に重大な損傷を与えてしまうことはない。
【００２９】
なお、図に示した鍵具有ストラップは、２本の鍵を保持可能とする構成例を示したが、収納ストラップ３に複数の鍵収納中空部を重なるように設け、より多くの鍵を保持するように構成しても良い。
【００３０】
また、この図では、鍵を予め備えてなる鍵具有ストラップを提供する例を示したが、鍵を除いた鍵具有ストラップを提供するようにしても良い。すなわち、鍵を除いた鍵具有ストラップを提供し、使用者各人が各々目的の鍵を選択して収納するようにしても良い。
【００３１】
次に図３および図４に基づいて請求項１に係る鍵具有ストラップの他の実施形態を説明する。なお、図１および図２に示した鍵具有ストラップと同一箇所には同一符号を付して重複説明は省略する。
【００３２】
この鍵具有ストラップの収納ストラップ３は、鍵Ｋを格納可能な幅を有した帯状の部材からなる収納部３Ｘと、この収納部３Ｘの先端（図では下端）に設けられる着脱部３Ｙと、によって形成されている。
そして、この収納ストラップ３の収納部３Ｘは可撓性材から形成され、その表面には図に示すように女性や若者に好まれる絵模様や装飾品が施されている。
一方、着脱部３Ｙは適宜の強度を有した樹脂材からなり、図３に示すように収納部３Ｘの形状に適応するデザインが施されている。
【００３３】
そして、この収納ストラップ３の収納部３Ｘは、内部に長手状の鍵収納中空部３ｃを備えていて、この鍵収納中空部３ｃの一端は収納部３Ｘの先端から鍵孔部３ｃ１として露出している。すなわち、この鍵収納中空部３ｃによって鍵Ｋは着脱自在となっている。
【００３４】
また、鍵Ｋは図４に示すように把持部Ｋ２が着脱部３Ｙ内に埋設され、着脱部３Ｙにしっかりと固定されている。これによって、鍵Ｋは、収納ストラップ３の収納部３Ｘと、着脱部３Ｙと、の両者によって露出することなく完全に保護収納可能である。
【００３５】
この鍵具有ストラップによれば、「機械の一部を構成するための部品」としてのなんらファッション性のない鍵を完全に格納し、鍵具有ストラップを、「持ち歩く価値のあるおしゃれな装飾品」にすることが可能である。
【００３６】
また、この鍵具有ストラップは、鍵Ｋの存在を容易に確認することが出来るという利点を有している。すなわち、従来においては出かける際に鍵の存在を確認するにはポケットやバックに手を入れる、あるいはポケットやバックを覗く等の作業によって鍵を確認する必要があるが、この鍵具有ストラップにおいて、目視によって鍵Ｋの存在（着脱部３Ｙの存在）を容易に確認可能であるので、その作業は極めて迅速かつ容易なものとなる。
【００３７】
そして、この鍵具有ストラップも、上述の鍵具有ストラップと同様に所持する際になんら危険はない。すなわち、鍵Ｋは収納ストラップ３によって完全に保護されているので、鍵具有ストラップが身体に強く押し付けられても鍵Ｋが身体に損傷を与えることはない。
【００３８】
なお、図３においては収納ストラップ３に鍵収納中空部３ｃを一つ形成して、一本の鍵Ｋを保持するように構成した例を示したが、収納ストラップ３に複数の鍵収納中空部３ｃを設け、複数の鍵Ｋを保持可能に構成しても良い。
【００３９】
次に図５および図６に基づいてこの発明の請求項第２項に係る鍵具有ストラップの実施形態を説明する。なお、図１ないし図４に示した鍵具有ストラップと同一箇所には同一符号を付して重複説明は省略する。
【００４０】
この鍵具有ストラップは、鍵Ｋと、鍵Ｋを保持するための鍵保持体７と、この鍵保持体７を支持するストラップ手段５と、を備えて構成されている。
そして、この例においてストラップ手段５は、係止紐１と、連結手段２と、この連結手段２に接続されるストラップＳと、によりなっている。
【００４１】
一方、鍵保持体７は、連結部材２に所定の部材を介して接続されている。そして、この鍵保持体７は一対の部材、連結部７ａ、分離部７ｂから構成され、これら両者によって所定形状の飾り物、図では「帽子をかぶった少年」の形状を象った飾り物となっている。
【００４２】
また、鍵保持体７の連結部７ａは、所定の連結手段によって連結部材２に接続されていて、内部には鍵Ｋを挿入可能とする鍵収納中空部７ｃを備えている。一方、鍵保持体７の分離部７ｂは、鍵Ｋの把持部Ｋ２と固着されている。
すなわち、この鍵保持体７は図５に示すように常には鍵Ｋを、連結部７と、分離部７と、の両者によって完全に保護格納することが出来る。
そして、鍵Ｋは鍵保持体７によって歩行時においても揺動することなく、また脱落することなく、しっかりと保持される。
【００４３】
そして、鍵Ｋの必要時においては、分離部７ｂを指先でつまんで引き抜くことによって、図６に示すように鍵Ｋを取り出して使用することが出来る。
この鍵具有ストラップもまた、上述の鍵具有ストラップと同様に鍵Ｋの存在を目視で確認可能であり、更に鍵Ｋは鍵保持体７によって完全に格納保護されているので安全が確保される上、見栄えのあるおしゃれなデザインによって抵抗なく利用出来る。
【００４４】
また、鍵保持体７の形状、換言すれば鍵保持体７のデザインは、見栄えがあり人気のあるデザイン、例えば「動植物の形状」、「人形の形状」、「人気キャラクターの形状」、「スポーツ用具の形状」等、さまざま考えられ、いずれの場合であっても、鍵Ｋを完全に保護確報するよう構成すれば安全が確保でき、更に携帯するに値するファッション性を具備させることが出来る。また、鍵保持体７は、安全を考慮してある程度の弾性を有する材料で形成することが好ましい。
【００４５】
なお、図には一本の鍵Ｋを保持する鍵保持体７を例に示したが、鍵保持体７に複数の鍵収納中空部７ｃを形成し、複数の鍵Ｋを保持可能としても良く、また、を充分に格納可能な鍵収納中空部７ｄを備えている。すなわちこの鍵保持体７は図７に示すように常には鍵を完全に収納保護可能であり、必要に応じて蓋体７Ｙの頭部に設けられたフックを外し図８に示すように蓋体７Ｙを開状態にし鍵Ｋ複数の鍵保持体７を設けるようにしても良い。
【００４６】
そして、図では鍵保持体７を連結部材２に接続する例を示したが、鍵保持体７をストラップＳの先端に所定の連結部を介して接続しても良く、また、鍵保持体７を連結部材２に接続しストラップＳをこの鍵保持体７を介して連結部材２に接続しても良い。
【００４７】
次に図７および図８に基づいて請求項２に係る鍵具有ストラップの他の実施形態を説明する。なお、図１および図６に示した鍵具有ストラップと同一箇所には同一符号を付して重複説明は省略する。
【００４８】
図７に示す鍵保持体７は緩やかな曲線で楕円形に形成される装飾板からなっていて、その表面には絵模様や装飾物が施されている。これによってこの鍵保持体７は、一見すると装飾品の様相を呈している。
そしてこの鍵保持体７は、図８に示すように収納容器７Ｘと、この収納容器７Ｘに回動可能に支持される蓋体７Ｙと、から構成され、収納容器７Ｘは鍵Ｋの全体を取り出すことが可能である。
【００４９】
なお、収納容器７Ｘ内には歩行時に鍵Ｋが揺動することがないようクッション材としてスポンジが設けられている。
【００５０】
この鍵具有ストラップも上述の鍵具有ストラップと同様に、ファッション性と安全性との両立を可能にしている。
【００５１】
なお、図では蓋体を回動させることで収納容器の鍵収納中空部を開状態にする例を示したが、蓋体を収納容器に進退往復移動可能に設けても良く、また蓋体を収納容器に着脱自在に設けても良い。また、図では鍵保持体７を連結部材２に接続する例を示したが、鍵保持体７をストラップＳの先端に設けても良い。
【００５２】
次に図９および図１０に基づいて請求項２に係る鍵具有ストラップの他の実施形態を説明する。なお、図１および図８に示した鍵具有ストラップと同一箇所には同一符号を付して重複説明は省略する。
【００５３】
図に示す鍵保持体７は、ストラップＳの先端に所定の連結手段を介して連結されていて、その外観は飾り物の形状、この例では「ユーモラスな犬の顔」をかたどった形状をなしている。
そしてこの鍵保持体７には鍵Ｋを格納する長手状の鍵収納中空部が設けられていて、鍵Ｋの把持部は進退往復自在に設けられる操作部７Ｚ（犬の耳部）によって保持されている。これによって、図１０に示すように操作部７Ｚを矢印に示す先端方向へと移動させることで鍵Ｋを鍵保持体７から突出させ使用することが可能である。
【００５４】
この鍵具有ストラップは、操作部７Ｚを移動させる単純な操作によって鍵Ｋを出し入れ出来るので容易かつ迅速に鍵を利用可能である。また、この鍵具有ストラップも上述のいずれの鍵具有ストラップと同様に、ファッション性と安全性のどちらも充分に確保可能である。
【００５５】
また、この鍵具有ストラップは、鍵Ｋが鍵具有ストラップから着脱できない構成となっているので、出かける際に携帯品（携帯電話）の存在を確認をする作業のみで鍵の持ち忘れを解消出来るという利点を有している。
【００５６】
以上説明したように、図１ないし図１０に示した各鍵具有ストラップは、いずれも鍵を露出することなく完全に収納保護するようにしているので、保持して歩く際に高い安全性の確保が可能であり、また、おしゃれを気にかける女性や若者であっても気軽に利用可能である。
【００５７】
ことろで、鍵Ｋは近年において鍵を形成するのに適した素材として利用されている可撓性材（可撓性樹脂材）によって形成することが好ましい。すなわち、鍵Ｋを可撓性材により形成すれば、収納ストラップ３（図１ないし図４参照）が適度に撓むので、収納ストラップ３を違和感なく利用することが可能となる上、鍵Ｋを可撓性材によって形成すればより高い安全が確保できる。
【００５８】
また、図１ないし図１０に示した各鍵具有ストラップは、いずれも片手で携帯品取り出す際に利用されるタイプのストラップを例に示したが、首から携帯品を吊り下げるタイプのストラップ、いわゆるネックタイプストラップに対して上述の鍵収納中空部あるいは鍵保持体を設けても同様の効果が得られる。
【００５９】
また、図１ないし図１０に示した各鍵具有ストラップは、携帯品として携帯電話に取り付ける例を示したが、これら鍵具有ストラップを取り付ける携帯品は携帯電話に限定されるものではない。すなわち、これら鍵具有ストラップを例えば、「財布」、「携帯ステレオ装置」、「ハンドバック」、「カメラ」等、利用者の使用頻度の高いものに取り付けても良いことは無論である。
【００６０】
【発明の効果】
この発明に係る鍵具有ストラップは、以上説明したように携帯品に対して取り付けられるストラップに対し、鍵収納中空部あるいは鍵保持体等を設け、これらによって鍵を完全に格納保護するように構成したので、次に挙げる種々の効果がある。
【００６１】
この発明に係る鍵具有ストラップは、常には通常のストラップと同様に所定の携帯品をバックやポケットから取り出すストラップとして利用出来、更に必要時においては具備する鍵を利用することによって鍵の持ち忘れを解消することが可能であるという効果を有する。
【００６２】
この発明に係る鍵具有ストラップは、鍵をバック等に入れた場合と比較して鍵を探し出す手間を大幅に省略し、鍵を容易かつ迅速に利用することが出来るという効果を有する。
【００６３】
この発明に係る鍵具有ストラップは、機械の一部を構成する部品であり見栄えのしない鍵を完全に収納することが出来るので、おしゃれを気にかける若者や女性であっても気軽に利用出来るという効果を有する。
【００６４】
この発明に係る鍵具有ストラップは、具備する鍵を完全に保護することが出来るので、満員電車で身体を強く押される、歩行時に転倒する等の不都合があっても鍵によって身体に重大な損傷を与えてしまうことを解消し、鍵携帯時の安全性を確保できるという効果を有する。
【図面の簡単な説明】
【図１】この発明の請求の範囲第１項に係る鍵具有ストラップの一実施形態を示す外観斜視図である。
【図２】図１に示した鍵具有ストラップの鍵保持ストラップを開状態にした際の外観斜視図である。
【図３】この発明に係る請求の範囲第１項に係る鍵具有ストラップの他の構成例を示す外観斜視図である。
【図４】図３に示した鍵具有ストラップから鍵を取り出した状態を示す外観斜視図である。
【図５】この発明の請求の範囲第２項に係る鍵具有ストラップの一実施形態を示す外観斜視図である。
【図６】図５に示した鍵具有ストラップから鍵を取り出した状態を示す外観斜視図である。
【図７】この発明に係る請求の範囲第２項に係る鍵具有ストラップの他の構成例を示す外観斜視図である。
【図８】図７に示した鍵具有ストラップの蓋体を開いた状態を示す外観斜視図である。
【図９】この発明に係る請求の範囲第２項に係る鍵具有ストラップの他の構成例を示す外観斜視図である。
【図１０】図９に示した鍵具有ストラップから鍵を突出させた状態を示す外観斜視図である。
【符号の説明】
Ｋ　　鍵
Ｋ１　挿入部
Ｋ２　把持部
１　　係止紐
２　　連結部材
３　　収納ストラップ
３ａ　鍵収納中空部
３ｂ　鍵収納中空部
３ｃ　鍵収納中空部
４　　鍵保持ストラップ
５　　ストラップ手段
７　　鍵保持体
７ｃ　鍵収納中空部
７ｄ　鍵収納中空部
Ｓ　　ストラップ
【図１】
2004019148.tif 000003
【図２】
2004019148.tif 000004
【図３】
2004019148.tif 000005
【図４】
2004019148.tif 000006
【図５】
2004019148.tif 000007
【図６】
2004019148.tif 000008
【図７】
2004019148.tif 000009
【図８】
2004019148.tif 000010
【図９】
2004019148.tif 000011
【図１０】
2004019148.tif 000012